【手続補正書】
【提出日】平成15年11月25日(2003.11.25)
【手続補正１】
【補正対象書類名】明細書
【補正対象項目名】特許請求の範囲
【補正方法】変更
【補正の内容】
【特許請求の範囲】
【請求項１】
接続された情報処理装置から記録情報を入力し、記録処理を行う記録装置であって、
前記情報処理装置で識別可能であり、且つ前記記録装置を識別可能な識別情報を保持する保持手段と、
前記記録装置の機能を拡張する拡張装置の装置の種別に応じて、異なる識別情報を出力する識別情報出力手段と、
を備えることを特徴とする記録装置。
【請求項２】
前記保持手段に保持している識別情報を前記拡張装置に応じた識別情報に変更する変更手段をさらに備え、前記識別情報出力手段は、前記情報処理装置の要求により、前記保持手段に保持している識別情報を出力することを特徴とする請求項１に記載の記録装置。
【請求項３】
更に、前記拡張装置が装着された時に、前記記録装置から前記情報処理装置に前記識別情報が転送されることを特徴とする請求項１記載の記録装置。
【請求項４】
更に、前記情報処理装置から入力した記録情報に基づいて記録を行う記録手段を備えることを特徴とする請求項２記載の記録装置。
【請求項５】
前記変更手段は、前記記録装置の電源がオンにされた時に識別情報の変更を行うことを特徴とする請求項２記載の記録装置。
【請求項６】
前記変更手段は、所定周期で識別情報の変更を行うことを特徴とする請求項２記載の記録装置。
【請求項７】
前記変更手段は、前記拡張装置が装着された時に識別情報の変更を行うことを特徴とする請求項２記載の記録装置。
【請求項８】
前記変更手段は、前記情報処理装置からの要求に応じて識別情報の変更を行うことを特徴とする請求項２記載の記録装置。
【請求項９】
前記保持手段に保持している識別情報を、オペレータが変更できることを特徴とする請求項１記載の記録装置。
【請求項１０】
情報処理装置とその情報処理装置から記録情報を入力し記録する記録装置とが接続された記録システムであって、
前記記録装置が、
前記情報処理装置で識別可能であり、且つ前記記録装置を識別可能な識別情報を保持する保持手段と、
前記記録装置の機能を拡張する拡張装置の装置の種別に応じて、異なる識別情報を出力する識別情報出力手段と、
前記情報処理送装置が、
前記識別情報出力手段が出力した識別情報を取得する取得手段と、
前記取得手段が取得した識別情報に基づいて前記記録装置の拡張装置に対応可能なプリンタドライバを選択する選択手段と、
を備えることを特徴とする記録システム。
【請求項１１】
前記記録装置は、
前記保持手段に保持している識別情報を前記拡張装置に応じた識別情報に変更する変更手段を更に備え、
前記識別情報出力手段は、前記情報処理装置の要求により、前記保持手段に保持している識別情報を出力することを特徴とする請求項１０に記載の記録システム。
【請求項１２】
更に、前記記録装置では、
前記拡張装置が装着された時に、前記記録装置から前記情報処理装置に前記識別情報が転送されることを特徴とする請求項１０記載の記録システム。
【請求項１３】
更に、前記記録装置が、
前記情報処理装置から入力した記録情報に基づいて記録を行う記録手段を備えることを特徴とする請求項１０記載の記録システム。
【請求項１４】
前記拡張装置が、その拡張装置に応じた識別情報を記憶する記憶手段を備えることを特徴とする請求項１０記載の記録システム。
【請求項１５】
前記情報処理装置が、前記記録装置より出力された識別情報に応じて前記記録装置のドライバを変更するドライバ変更手段を備えることを特徴とする請求項１０記載の記録システム。
【請求項１６】
前記拡張装置は、その拡張装置に応じた識別情報に対応するバーコードを有することを特徴とする請求項１０記載の記録システム。
【請求項１７】
前記保持手段に保持している識別情報を、オペレータが変更できることを特徴とする請求項１０記載の記録システム。
【請求項１８】
接続された情報処理装置から記録情報を入力し、記録処理を行う記録方法であって、
前記情報処理装置で識別可能であり、且つ前記記録装置を識別可能な識別情報を保持する保持工程と、
前記記録装置の機能を拡張する拡張装置の装置の種別に応じて、異なる識別情報を出力する識別情報出力工程と、
を備えることを特徴とする記録方法。
【請求項１９】
前記保持工程にて保持された識別情報を、前記拡張装置に応じた識別情報に変更する変更工程を更に備え、
前記識別情報出力工程では、前記変更工程にて変更された識別情報を、前記情報処理装置の要求により出力することを特徴とする請求項１８に記載の記録方法。
【請求項２０】
更に、前記拡張装置が装着された時に、前記記録装置から前記情報処理装置に前記識別情報が転送されることを特徴とする請求項１８記載の記録方法。
【請求項２１】
更に、前記情報処理装置から入力した記録情報に基づいて記録を行う記録工程を備えることを特徴とする請求項１８記載の記録方法。
【請求項２２】
前記変更工程は、前記記録装置の電源がオンにされた時に識別情報の変更を行うことを特徴とする請求項１９記載の記録方法。
【請求項２３】
前記変更工程は、所定周期で識別情報の変更を行うことを特徴とする請求項１９記載の記録方法。
【請求項２４】
前記変更工程は、前記拡張装置が装着された時に識別情報の変更を行うことを特徴とする請求項１９記載の記録方法。
【請求項２５】
前記変更工程は、前記情報処理装置からの要求に応じて識別情報の変更を行うことを特徴とする請求項１９記載の記録装置。
【請求項２６】
コンピュータを、接続された情報処理装置から記録情報を入力し、記録処理を行う記録装置として機能させるためのプログラムを格納したコンピュータで読み取り可能な記憶媒体であって、前記プログラムは、
前記情報処理装置で識別可能であり、且つ前記記録装置を識別可能な識別情報を保持する保持工程のコードと、
前記記録装置の機能を拡張する拡張装置の装置の種別に応じて、異なる識別情報を出力する識別情報出力工程のコードと、
を備えたことを特徴とする記憶媒体。
【手続補正２】
【補正対象書類名】明細書
【補正対象項目名】０００９
【補正方法】変更
【補正の内容】
【０００９】
即ち、接続された情報処理装置から記録情報を入力し、記録処理を行う記録装置であって、前記情報処理装置で識別可能であり、且つ前記記録装置を識別可能な識別情報を保持する保持手段と、前記記録装置の機能を拡張する拡張装置の装置の種別に応じて、異なる識別情報を出力する識別情報出力手段と、を備えることを特徴とする。


【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１５
【補正方法】変更
【補正の内容】
【００１５】
即ち、接続された情報処理装置から記録情報を入力し、記録処理を行う記録方法であって、前記情報処理装置で識別可能であり、且つ前記記録装置を識別可能な識別情報を保持する保持工程と、前記記録装置の機能を拡張する拡張装置の装置の種別に応じて、異なる識別情報を出力する識別情報出力工程と、を備えることを特徴とする。


【手続補正８】
【補正対象書類名】明細書
【補正対象項目名】００１６
【補正方法】削除
【補正の内容】
【手続補正９】
【補正対象書類名】明細書
【補正対象項目名】００７８
【補正方法】変更
【補正の内容】
【００７８】
【発明の効果】
以上説明したように、本発明の一つの側面によれば、情報処理装置において記録装置の識別情報に対応した適切な制御が可能となり、記録装置の機能を拡張する拡張装置の認識と適切な記録とが可能な記録装置及びその制御方法及び記録システムの提供が実現する。


【手続補正１０】
【補正対象書類名】明細書
【補正対象項目名】００７９
【補正方法】変更
【補正の内容】
【００７９】
本発明の別の側面によれば、識別情報を拡張装置側に備え、この識別情報を情報処理装置に報知可能に構成することにより、当初考慮されなかった拡張装置を記録装置に接続するような事態が発生しても、情報処理装置内の制御プログラムを用意するだけで記録装置への多様な拡張装置の接続が可能となる。